(57)【要約】      （修正有）【課題】商品に対する消費者の信用度を増大させると共に、消費者が安心して商品を選択できるようにすることが可能となる食器製品及び食器製品の提供方法を提供する。【解決手段】飲食店で提供した蒸し物（茶碗蒸し）４に使用した食器と別体、かつ、視覚的に同一の食器を食器本体と、食器本体と共に提供される第１の付属物と第２の付属物とを備える。【選択図】図１
2018201670.tif 000002
【特許請求の範囲】
【請求項１】
飲食店で飲食させるために食品を入れて消費者に提供された所定の食器と別体、かつ、同一の食器である食器本体と、
前記飲食店で前記所定の食器を用いて飲食する際に用いられた箸、スプーン、フォーク、ナイフの少なくとも１つと別体、かつ、同一の箸、スプーン、フォーク、ナイフの少なくとも１つであり、前記食器本体と共に提供される第１の付属物と、
前記食器本体の半製品状態と略同一物の少なくとも一部であり、若しくは、前記食器本体の原材料であり、かつ、前記食器本体と共に提供される第２の付属物と、を備える
食器製品。
【請求項２】
前記食器本体は陶磁器であり、
前記第２の付属物は、前記食器本体の素焼状態と略同一の陶磁器片である
請求項１に記載の食器製品。
【請求項３】
前記食器本体は漆器であり、
前記第２の付属物は、前記食器本体の漆工前状態と略同一の状態である
請求項１に記載の食器製品。
【請求項４】
前記食器本体は、未使用の食器である
請求項１に記載の食器製品。
【請求項５】
前記第１の付属物は、未使用の箸、未使用のスプーン、未使用のフォーク、未使用のナイフの少なくとも１つである
請求項１に記載の食器製品。
【請求項６】
前記食器本体は、茶碗、皿、湯飲み、グラス、コップ、若しくは、漆器の少なくとも１つである
請求項１に記載の食器製品。
【請求項７】
飲食店で飲食させるために食品を入れて消費者に提供された所定の食器と別体、かつ、同一の食器である食器本体と、
前記飲食店で前記所定の食器を用いて飲食する際に用いられた箸、スプーン、フォーク、ナイフの少なくとも１つと別体、かつ、同一の箸、スプーン、フォーク、ナイフの少なくとも１つである第１の付属物と、
前記食器本体の半製品状態と略同一物の少なくとも一部であり、若しくは、前記食器本体の原材料である第２の付属物とを、
共に提供する工程を備える
食器製品の提供方法。
【請求項８】
飲食店で飲食させるために、所定の食器に食品を入れて消費者に提供する工程と、
前記所定の食器と別体、かつ、同一の食器である食器本体を提供する工程と、
前記飲食店で前記所定の食器を用いて飲食する際に用いられた箸、スプーン、フォーク、ナイフの少なくとも１つと別体、かつ、同一の箸、スプーン、フォーク、ナイフの少なくとも１つである第１の付属物を提供する工程と、
前記食器本体の半製品状態と略同一物の少なくとも一部であり、若しくは、前記食器本体の原材料である第２の付属物を提供する工程と、を備える
食器製品の提供方法。
【請求項９】
飲食店で飲食させるために、所定の食器に食品を入れて消費者に提供する工程と、
前記所定の食器と別体、かつ、同一の食器である食器本体を提供する工程と、を備える
食器製品の提供方法。
【発明の詳細な説明】
【技術分野】
【０００１】
本発明は、食器製品及び食器製品の提供方法に関する。詳しくは、食器本体の見える化を実現することが可能な食器製品及び食器製品の提供方法に係るものである。
【背景技術】
【０００２】
従来、各種商品の安全性が消費者に注目されており、消費者が商品を選択する際に、消費者は商品自体や商品の原料がどの様な物であるのかという点にまで関心を示す様になっている。
【０００３】
そのため、商品の提供者は、提供する商品や商品の原料の成分や産地、製造年月日等の情報を商品の包装に貼付したラベルに記載したり、ＩＣタグに記録したりして、商品を提供している。
【０００４】
しかし、単に情報を記載や記録したものを商品に添付して提供するだけでは、その情報の改竄や偽造等が容易であり、現に情報の改竄や偽造等が行われている事実もあり、消費者の信用度が低く、消費者が安心して商品を選択することが困難であった。
【０００５】
そこで、本発明の発明者は、単に情報を記載や記録したものを商品に添付するのではなく、食品の原料を粉末にした原料粉末見本を食品に添付して食品を提供する技術を提案することで、食品製品の見える化を実現している（特許文献１参照）。
【先行技術文献】
【特許文献】
【０００６】
【特許文献１】特開２００９−５６５６号公報
【発明の概要】
【発明が解決しようとする課題】
【０００７】
ところで、見える化が求められている商品は食品製品に限られておらず、食器製品においても求められている。
【０００８】
本発明は以上の点に鑑みて創案されたものであって、消費者が安心して商品を選択することが可能となる食器製品及び食器製品の提供方法を提供することを目的とするものである。
【課題を解決するための手段】
【０００９】
上記の目的を達成するために、本発明の食器製品では、飲食店で飲食させるために食品を入れて消費者に提供された所定の食器と別体、かつ、同一の食器である食器本体と、前記飲食店で前記所定の食器を用いて飲食する際に用いられた箸、スプーン、フォーク、ナイフの少なくとも１つと別体、かつ、同一の箸、スプーン、フォーク、ナイフの少なくとも１つであり、前記食器本体と共に提供される第１の付属物と、前記食器本体の半製品状態と略同一物の少なくとも一部であり、若しくは、前記食器本体の原材料であり、かつ、前記食器本体と共に提供される第２の付属物と、を備える。
【００１０】
また、上記の目的を達成するために、本発明の食器製品の提供方法では、飲食店で飲食させるために食品を入れて消費者に提供された所定の食器と別体、かつ、同一の食器である食器本体と、前記飲食店で前記所定の食器を用いて飲食する際に用いられた箸、スプーン、フォーク、ナイフの少なくとも１つと別体、かつ、同一の箸、スプーン、フォーク、ナイフの少なくとも１つである第１の付属物と、前記食器本体の半製品状態と略同一物の少なくとも一部であり、若しくは、前記食器本体の原材料である第２の付属物とを、共に提供する工程を備える。
【００１１】
更に、上記の目的を達成するために、本発明の食器製品の提供方法では、飲食店で飲食させるために、所定の食器に食品を入れて消費者に提供する工程と、前記所定の食器と別体、かつ、同一の食器である食器本体を提供する工程と、前記飲食店で前記所定の食器を用いて飲食する際に用いられた箸、スプーン、フォーク、ナイフの少なくとも１つと別体、かつ、同一の箸、スプーン、フォーク、ナイフの少なくとも１つである第１の付属物を提供する工程と、前記食器本体の半製品状態と略同一物の少なくとも一部であり、若しくは、前記食器本体の原材料である第２の付属物を提供する工程と、を備える。
【００１２】
また、上記の目的を達成するために、本発明の食器製品の提供方法では、飲食店で飲食させるために、所定の食器に食品を入れて消費者に提供する工程と、前記所定の食器と別体、かつ、同一の食器である食器本体を提供する工程と、を備える。
【００１３】
ここで、飲食店で所定の食器を用いて飲食する際に用いられた箸、スプーン、フォーク、ナイフ（以下、「箸、スプーン、フォーク、ナイフ」を「箸など」と称する）の少なくとも１つと別体、かつ、同一の箸などの少なくとも１つである第１の付属物によって、食器本体と相性の良い箸などを把握することができる。
即ち、一般に、飲食店では、食器と箸などの相性を充分に検討した上で、食器や箸などを消費者に提供しているために、飲食店で所定の食器を用いて飲食する際に用いられた箸などの少なくとも１つと同一である第１の付属物によって、上述の様に、食器本体と相性の良い箸などを把握することができるのである。
【００１４】
また、食器本体の半製品状態と略同一物の少なくとも一部、若しくは、食器本体の原材料である第２の付属物によって、食器本体の実態を把握することができる。
即ち、完成品である食器本体からは把握できない情報を食器本体の半製品状態や原材料から把握できることがあるために、第２の付属物によって、食器本体の実態を把握することができるのである。
【００１５】
なお、第２の付属物は、食器本体の半製品状態と略同一物の「少なくとも一部」であることから、「食器本体の半製品状態と略同一物の一部」でも、「食器本体の半製品状態と略同一物の全部」でも良い。
【００１６】
また、第２の付属物が食器本体の原材料である場合に、原材料の分析データや配合等の情報を併せて提供しても良い。こうした情報によって、より一層充分に食器本体の実態を把握できることとなる。
【００１７】
ところで、ここでの「半製品状態」とは、原材料をいくらか加工しているものの、完成品である食器本体までは至っていない状態を意味し、それ自体が製品として販売可能な状態で無くても良い。いわゆる、仕掛品をも含むものである。
【００１８】
また、「食器本体の半製品状態と略同一物」とは、食器本体の品質を把握するにあたって、食器本体の半製品状態と同一視できるものを意味する。例えば、（１）食器本体が陶磁器である場合において、食器本体と同一の原材料を用いて、食器本体と同一の条件で製造された素焼状態の陶磁器や、（２）食器本体が漆器である場合において、食器本体と同一の素地や木地で構成された、漆工前（即ち、漆を素地や木地に塗り重ねる工程の前）の状態、が該当する。
【００１９】
なお、上述した様に、第１の付属物や第２の付属物によって、食器本体の見える化が実現することになるが、副次的に、食器本体や第１の付属物や第２の付属物によって、飲食店が提供する食品の見える化の実現をも期待することができる。
即ち、料理（特に、日本料理）の美味しさは、必ずしも味覚のみで決定されるとは言い切れず、五感から得た情報を総合的に判断しており、中でも視覚は美味しさの判断に大きな影響を与えている。
【００２０】
そのため、食器本体が、飲食店で飲食させるために食品を入れて消費者に提供された所定の食器と別体、かつ、同一の食器であることによって、消費者は飲食店での飲食時の食器と視覚的に同一の食器を得ることができる。そして、飲食時の食器と視覚的に同一の食器は、食器に入れられた食品の美味しさを思い出す契機となり、主として視覚的な観点から食品の見える化が実現する。
【００２１】
また、飲食時の食器と視覚的に同一の食器によって、食品の味や飲食時の印象についての消費者の記憶が蘇ることが期待でき、提供される食品の記憶が消費者に残りやすいといった効果が期待できる。
【００２２】
なお、飲食店で食器に入れて消費者に提供された食品の情報や、飲食店で食器に入れて消費者に提供された食品の原料の情報を提供する場合には、食品や食品の原料について消費者が把握することができ、主として知覚的な観点から食品の見える化が実現する。
【００２３】
更に、第１の付属物によって、消費者は飲食店で飲食する際に用いた箸などと視覚的に同一の箸などを得ることができ、食器本体と相俟って、より一層、食器に入れられた食品の美味しさを思い出す契機となり、主として視覚的な観点から食品の見える化が実現する。
また、食器本体と同様に、第１の付属物によっても、食品の味や飲食時の印象についての消費者の記憶が蘇ることが期待でき、提供される食品の記憶が消費者に残りやすいといった効果が期待できる。
【００２４】
また、第２の付属物によっても、食器本体と同様に、食器に入れられた食品の美味しさを思い出す契機となり、主として視覚的な観点から食品の見える化が実現すると共に、提供される食品の記憶が消費者に残りやすいといった効果が期待できる。
【００２５】
ところで、ここでの「食品」とは、栄養素の摂取や嗜好を目的とした飲食物（生鮮食品、動物性食品、植物性食品、加工食品、嗜好食品、調味用材料、健康食品、サプリメント、飲料、加工材料等）を含むことは勿論のこと、医薬品や医薬部外品をも含む趣旨である。例えば、漢方薬も含まれる。
【００２６】
更に、飲食店で食器に入れて消費者に提供された食品の、食品成分に関する情報、遺伝子組換えに関する情報、食品添加物に関する情報、の少なくとも１つを含む情報を提供しても良い。
なお、「食品成分」とは、一例として、文部科学省科学技術・学術審議会資源調査分化会編集の「日本食品標準成分表２０１５年（七訂）」に記載されている様な表示を意味し、「栄養成分」をも含むものである。また、「遺伝子組換えに関する情報」とは、一例として、食品が遺伝子組換え作物であるか否かという情報であり、「食品添加物に関する情報」とは、一例として、食品添加物の名称、機能、使用量、生産者名、生産地等の情報である。
【発明の効果】
【００２７】
本発明の食器製品及び食器製品の提供方法では、消費者がより一層安心して商品を選択することが可能となり、商品の信頼度の向上を実現することができる。
【図面の簡単な説明】
【００２８】
【図１】第１の実施の形態を説明するための模式図（１）である。
【図２】第２の実施の形態を説明するための模式図（２）である。
【図３】第２の実施の形態を説明するための模式図である。
【図４】第３の実施の形態を説明するための模式図である。
【発明を実施するための形態】
【００２９】
以下、発明を実施するための形態（以下、「実施の形態」と称する）について説明を行う。なお、説明は以下の順序で行う。
１．第１の実施の形態
２．第２の実施の形態
３．第３の実施の形態
【００３０】
＜１．第１の実施の形態＞
［提供される料理の説明］
図１は本発明を適用した食器製品の提供方法の一例において提供されるお膳料理を説明するための模式図であり、ここで示すお膳料理Ａは、高足膳１に６種の料理が載せられている。
【００３１】
具体的には、煮物２（図１では、野菜の炊き合わせを図示）、焼き物３（図１では、尾頭付きの鯛の姿焼きを図示）、蒸し物４（図１では、茶碗蒸しを図示）、ご飯５（図１では、赤飯を図示）、香の物６（図１では、梅干しと大根漬けを図示）、及び、吸い物７（図１では、ハマグリの吸い物を図示）が、高足膳１に載せられている。
【００３２】
また、高足膳１及び６つの食器（具体的には、煮物２の食器、焼き物３の食器、蒸し物４の食器、ご飯５の食器、香の物６の食器、及び、吸い物７の食器）は、いずれも漆器である。
【００３３】
［提供される食器製品の説明］
図２は本発明を適用した食器製品の提供方法の一例において提供される食器製品（即ち、本発明を適用した食器製品の一例でもある）を説明するための模式図であり、ここで示す食器製品では、食器本体８が桐箱９に収納された後に、桐蓋１０を被せ、紐１１で桐箱９と桐蓋１０とを一体化した状態で消費者に提供される。
【００３４】
ここで、食器本体８は、消費者に提供されるお膳料理Ａ（図１参照）で、蒸し物４に用いられた食器と別体、かつ、同一の食器である。
即ち、蒸し物４に用いられた食器と、同一形状、同一模様で視覚的に同一であるものの、同一物（お膳料理Ａで使われた食器そのもの）ではなく、別体の食器を意味している。なお、食器本体８は新品（未使用）の食器である。
【００３５】
また、食器製品は、消費者に提供されるお膳料理Ａ（図１参照）と共に提供された箸（即ち、お膳料理Ａを食する際に用いられる箸）と別体、かつ、同一の箸である第１の付属物（図示略）をも備える。
なお、第１の付属物は、お膳料理Ａと共に提供される箸と、同一形状、同一模様で視覚的に同一であるものの、同一物（お膳料理Ａと共に提供された箸そのもの）ではなく、別体の箸を意味している。なお、箸は新品（未使用）である。
【００３６】
更に、食器製品は、消費者に提供されるお膳料理Ａ（図１参照）で、蒸し物４に用いられた食器の漆工前の状態（半製品状態）と同一であり、かつ、蒸し物４に用いられた食器の漆工前の状態とは別体であり、かつ、その一部分（例えば、一片）である第２の付属物（図示略）をも備える。
なお、第２の付属物は、蒸し物４に用いられた食器の漆工前の状態と同一であるものの、同一物（お膳料理Ａで使われた食器そのものの漆工前の状態）ではなく、別体である。同様に、第２の付属物は、食器本体８の漆工前の状態と同一であるものの、同一物（食器本体８そのものの漆工前の状態）ではなく、別体である。
【００３７】
［提供方法の説明］
本発明を適用した食器製品の提供方法の一例では、懐石料理店等の飲食店において、消費者の注文に応じて、お膳料理Ａが提供される。
【００３８】
その際、お膳料理Ａが提供される前に、先ず、お膳料理Ａの料理が入れられている食器と別体、かつ、視覚的に同一の食器（料理は入れられていない食器）を消費者に見せる。そして、消費者に食器を見せた後に、若しくは、消費者に食器を見せたままの状態で、お膳料理Ａが提供されることとなる。
【００３９】
なお、お膳料理Ａの提供前に見せる食器については、食器の現物を見せても良いし、食器の画像を見せても良い。
【００４０】
また、お膳料理Ａの全ての食器（即ち、煮物２の食器、焼き物３の食器、蒸し物４の食器、ご飯５の食器、香の物６の食器、及び、吸い物７の食器）に対応する食器の現物や画像を見せても良いが、一部の食器の現物や画像のみを見せても良い。
【００４１】
そして、お膳料理Ａが提供された後に、食器製品が提供されることとなる。
その際、食器製品のみならず、お膳料理Ａの情報をも提供する。具体的には、煮物２や煮物２の原料の情報、焼き物３や焼き物３の原料の情報、蒸し物４や蒸し物４の原料の情報、ご飯５やご飯５の原料の情報、香の物６や香の物６の原料の情報、吸い物７や吸い物７の原料の情報を提供する。
【００４２】
なお、お膳料理Ａの提供前に消費者に見せた食器に食器本体８が含まれている場合には、お膳料理Ａの提供後に、消費者に見せていた食器本体８を提供する（即ち、消費者に持ち帰らせる）こととなる。
【００４３】
［効果］
本発明を適用した食器製品の提供方法の一例では、第１の付属物及び第２の付属物を提供するために、食器本体の見える化の実現が期待できる。
【００４４】
また、本発明を適用した食器製品の提供方法の一例では、食器本体８を提供するために、消費者が食器本体８を通じて、蒸し物４の美味しさを思い出す契機となり、蒸し物４の美味しさを思い出すことで、お膳料理Ａ（全体）の美味しさを思い出す契機となることが期待できる。
即ち、食器本体８によって、蒸し物４やお膳料理Ａ（全体）について、主として視覚的な観点からの見える化の実現が期待できる。
【００４５】
なお、本発明を適用した食器製品の提供方法の一例では、お膳料理Ａの提供前に食器本体８を見せており、消費者は、どの様な食器でお膳料理Ａが提供されるのかを充分に理解した上でお膳料理Ａを食すると考えられる。このことでも、より一層、食器本体８によって、主として視覚的な観点からの見える化の実現が期待できる。
【００４６】
また、本発明を適用した食器製品の提供方法の一例では、食器本体８と共に、第１の付属物である箸をも提供するために、食器本体８と同様に、蒸し物４やお膳料理Ａ（全体）について、主として視覚的な観点からの見える化の実現が期待できる。
【００４７】
更に、本発明を適用した食器製品の提供方法の一例では、お膳料理Ａの情報を提供するために、煮物２や煮物２の原料の情報、焼き物３や焼き物３の原料の情報、蒸し物４や蒸し物４の原料の情報、ご飯５やご飯５の原料の情報、香の物６や香の物６の原料の情報、吸い物７や吸い物７の原料の情報を消費者が把握することができる。そして、こうした情報を通じて、お膳料理Ａ（全体）の美味しさを思い出す契機となることが期待できる。
即ち、お膳料理Ａの情報によって、お膳料理Ａ（全体）について、主として知覚的な観点からの見える化の実現が期待できる。
【００４８】
［変形例］
上記した第１の実施の形態では、蒸し物４に用いられた食器に対応する食器のみを食器本体８としており、換言すると、お膳料理Ａに用いられた食器のうちの１つのみに対応する食器を食器本体としている。しかしながら、お膳料理Ａについて、主として視覚的な観点からの見える化の実現を考慮した場合には、お膳料理Ａに用いられた食器のうちの２以上に対応する食器を食器本体８としても良く、また、お膳料理Ａに用いられた全ての食器に対応する食器を食器本体８としても良い。
【００４９】
また、上記した第１の実施の形態では、お膳料理Ａの提供前に食器を見せる場合を例に挙げて説明を行っているが、必ずしも、お膳料理Ａの提供前に食器を見せる必要は無い。但し、お膳料理Ａの提供前に食器本体８を見せることで、より一層、消費者の記憶に食器本体８が残ることが期待でき、お膳料理Ａについて、視覚的な観点からの見える化がより期待できるために、お膳料理Ａの提供前に食器を見せる方が好ましい。
【００５０】
＜２．第２の実施の形態＞
図３は本発明を適用した食器製品の提供方法の他の一例において提供される寿司を説明するための模式図であり、ここで示す寿司Ｂは、寿司盛皿１２に寿司６貫が載せられている。なお、寿司盛皿１２は陶器製である。
【００５１】
本発明を適用した食器製品の提供方法の他の一例では、寿司屋等の飲食店において、消費者の注文に応じて、寿司Ｂが提供される。
そして、寿司Ｂが提供された後、寿司盛皿１２と別体、かつ、視覚的に同一の皿（食器本体に相当。図示せず）が消費者に提供されることとなる。
【００５２】
なお、消費者に提供される皿（食器本体に相当）は、寿司盛皿１２と、同一形状、同一模様で視覚的に同一であるものの、同一物（寿司Ｂで使われた食器そのもの）ではなく、別体の新品（未使用）の食器を意味している。
【００５３】
また、食器本体に相当する皿と共に、消費者に提供される寿司と共に提供された箸（即ち、寿司を食する際に用いられる箸）と別体、かつ、同一の箸である第１の付属物（図示略）をも提供する。
なお、第１の付属物は、寿司と共に提供される箸と、同一形状、同一模様で視覚的に同一であるものの、同一物（寿司と共に提供された箸そのもの）ではなく、別体の箸を意味している。なお、箸は新品（未使用）である。
【００５４】
更に、食器本体に相当する皿と共に、寿司盛皿１２の素焼状態（半製品状態）と同一であり、かつ、寿司盛皿１２の素焼状態とは別体であり、かつ、その一部分（例えば、一片）である第２の付属物（図示略）をも提供する。
なお、第２の付属物は、寿司盛皿１２の素焼状態と同一であるものの、同一物（寿司盛皿１２そのものの素焼状態）ではなく、別体である。同様に、第２の付属物は、食器本体に相当する皿の素焼状態と同一であるものの、同一物（食器本体に相当する皿そのものの素焼状態）ではなく、別体である。
【００５５】
本発明を適用した食器製品の提供方法の他の一例では、第１の付属物及び第２の付属物を提供するために、食器本体に相当する皿の見える化の実現が期待できる。
【００５６】
また、本発明を適用した食器製品の提供方法の他の一例では、寿司盛皿１２と別体、かつ、視覚的に同一の皿を提供するために、消費者がこうした皿を通じて、寿司の美味しさを思い出す契機となることが期待できる。
即ち、消費者に提供される皿によって、寿司について、主として視覚的な観点からの見える化の実現が期待できる。
【００５７】
＜３．第３の実施の形態＞
図４は本発明を適用した食器製品の提供方法のまた更に他の一例において提供される抹茶セットを説明するための模式図であり、ここで示す抹茶セットＣは、盆１３に抹茶１４と茶菓子１５が載せられている。
【００５８】
本発明を適用した食器製品の提供方法のまた更に他の一例では、喫茶店等の飲食店において、消費者の注文に応じて、抹茶セットＣが提供される。
そして、抹茶セットＣが提供された後、抹茶が入れられた抹茶碗と別体、かつ、視覚的に同一の抹茶碗（食器本体に相当。図示せず）が消費者に提供されることとなる。
【００５９】
なお、消費者に提供される抹茶碗（食器本体に相当）は、抹茶が入れられた抹茶碗と、同一形状、同一模様で視覚的に同一であるものの、同一物（抹茶セットＣで使われた抹茶碗そのもの）ではなく、別体の新品（未使用）の抹茶碗を意味している。
【００６０】
本発明を適用した食器製品の提供方法のまた更に他の一例では、抹茶が入れられた抹茶碗と別体、かつ、視覚的に同一の抹茶碗を提供するために、消費者がこうした抹茶碗を通じて、抹茶の美味しさを思い出す契機となることが期待できる。
即ち、消費者に提供される抹茶碗によって、抹茶について、主として視覚的な観点からの見える化の実現が期待できる。
【符号の説明】
【００６１】
１    高足膳
２    煮物
３    焼き物
４    蒸し物
５    ご飯
６    香の物
７    吸い物
８    食器本体
９    桐箱
１０    桐蓋
１１    紐
１２    寿司盛皿
１３    盆
１４    抹茶
１５    茶菓子
【図１】
2018201670.tif 000003
【図２】
2018201670.tif 000004
【図３】
2018201670.tif 000005
【図４】
2018201670.tif 000006
【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
飲食店で飲食させるために食品を入れて消費者に提供された所定の食器と別体、かつ、同一形状、同一模様で視覚的に同一の食器である食器本体と、
前記飲食店で前記所定の食器を用いて飲食する際に用いられた箸、スプーン、フォーク、ナイフの少なくとも１つと別体、かつ、同一形状、同一模様で視覚的に同一の箸、スプーン、フォーク、ナイフの少なくとも１つであり、前記食器本体と共に提供される第１の付属物と、
前記食器本体の半製品状態と略同一物の少なくとも一部であり、若しくは、前記食器本体の原材料であり、かつ、前記食器本体と共に提供される第２の付属物と、を備える
食器製品。
【請求項２】
前記食器本体は陶磁器であり、
前記第２の付属物は、前記食器本体の素焼状態と略同一の陶磁器片である
請求項１に記載の食器製品。
【請求項３】
前記食器本体は漆器であり、
前記第２の付属物は、前記食器本体の漆工前状態と略同一の状態である
請求項１に記載の食器製品。
【請求項４】
前記食器本体は、未使用の食器である
請求項１に記載の食器製品。
【請求項５】
前記第１の付属物は、未使用の箸、未使用のスプーン、未使用のフォーク、未使用のナイフの少なくとも１つである
請求項１に記載の食器製品。
【請求項６】
前記食器本体は、茶碗、皿、湯飲み、グラス、コップ、若しくは、漆器の少なくとも１つである
請求項１に記載の食器製品。